(57)【特許請求の範囲】
【請求項１】
ゴンドラが構築物の外壁面に適宜の間隔を有して対向する複数本の前方柱体と、この前方柱体の後方にそれぞれ配在されて対をなし前方柱体との間に作業者の臨在を許容する空間を形成する複数本の後方柱体と、前方柱体の下端部と後方柱体の下端部との間に配在されて作業者の立ち入りを許容する足場板とを有してなる一方で、このゴンドラを吊持する吊りワイヤの上端が構築物の天端に配在のレールに副って横方向に移動可能とされてなるゴンドラ装置において、吊りワイヤがゴンドラの上方外部からゴンドラの内部に案内されると共に、後方柱体の上端部に配在のワイヤそらし機構を介することで後方柱体に副って垂下されてなり、かつ、吊りワイヤの下端側を巻装させて吊りワイヤの巻き取りあるいは解き出しでゴンドラを昇降させるワイヤ巻取り機構が足場板の下方に配在されてなることを特徴とするゴンドラ装置
【請求項２】
ゴンドラの側面部が手摺枠を揺動可能にあるいは分離可能に有すると共に、この手摺枠の揺動時にあるいは撤去時に相隣するゴンドラへの作業者の移動を許容する開口部とされてなる請求項１に記載のゴンドラ装置
【請求項３】
前方柱体が直線状に設定される一方で、後方柱体が下端側を直線状に設定すると共に上端側を前方柱体側に折り曲げて上端を前方柱体の上端に連結してなり、かつ、相隣する後方柱体との間で防護シートを分離可能に保持してなる請求項１に記載のゴンドラ装置
【請求項４】
吊りワイヤの上端を連繋させるレールが構築物の屋上部分に配在の適宜の保持機構に分離可能に保持されてなると共に、保持機構が構築物の屋上に着脱可能に配在されてなる請求項１に記載のゴンドラ装置
【発明の詳細な説明】
【０００１】
【発明の属する技術分野】
この発明は、ゴンドラ装置に関し、特に、構築物の外壁面に副って縦横に移動し得るゴンドラ装置の改良に関する。
【０００２】
【従来技術とその問題点】
たとえば、中高層建築物などの構築物の外壁面に副って縦横に移動し得るゴンドラ装置としては、従来から種々の提案があるが、その多くは、いわゆる一台のゴンドラが移動し得るように構成されている。
【０００３】
そこで、一台のゴンドラで、しかも、停止状態で横方向に広範囲に作業範囲をいわゆるカバーしようとする場合には、ゴンドラを横方向に大きく形成する必要がある。
【０００４】
しかしながら、ゴンドラは、その搬送などの取り扱いを考慮すれば、自ずと大きさに限度が設けられ、したがって、無闇に横方向に大きく形成する訳にもいかない。
【０００５】
この発明は、上記した事情を鑑みて創案されたものであって、その目的とするところは、構築物の外壁面に副って縦横に移動し得るのはもちろんのこと、停止状態で横方向に広範囲に作業範囲をカバーし得るようにして、その汎用性の向上を期待するのに最適となるゴンドラ装置を提供することである。
【０００６】
【課題を解決するため手段】
上記した目的を達成するために、この発明によるゴンドラ装置の構成を、基本的には、ゴンドラが構築物の外壁面に適宜の間隔を有して対向する複数本の前方柱体と、この前方柱体の後方にそれぞれ配在されて対をなし前方柱体との間に作業者の臨在を許容する空間を形成する複数本の後方柱体と、前方柱体の下端部と後方柱体の下端部との間に配在されて作業者の立ち入りを許容する足場板とを有してなる一方で、このゴンドラを吊持する吊りワイヤの上端が構築物の天端に配在のレールに副って横方向に移動可能とされてなるゴンドラ装置において、吊りワイヤがゴンドラの上方外部からゴンドラの内部に案内されると共に、後方柱体の上端部に配在のワイヤそらし機構を介することで後方柱体に副って垂下されてなり、かつ、吊りワイヤの下端側を巻装させて吊りワイヤの巻き取りあるいは解き出しでゴンドラを昇降させるワイヤ巻取り機構が足場板の下方に配在されてなるとする。
【０００７】
そして、上記した基本的な構成において、より具体的には、ゴンドラの側面部が手摺枠を揺動可能にあるいは分離可能に有すると共に、この手摺枠の揺動時にあるいは撤去時に相隣するゴンドラへの作業者の移動を許容する開口部とされてなるとする。
【０００８】
また、前方柱体が直線状に設定される一方で、後方柱体が下端側を直線状に設定すると共に上端側を前方柱体側に折り曲げて上端を前方柱体の上端に連結してなり、かつ、相隣する後方柱体との間で防護シートを分離可能に保持してなるとする。
【０００９】
さらに、吊りワイヤの上端を連繋させるレールが構築物の屋上部分に配在の適宜の保持機構に分離可能に保持されてなると共に、保持機構が構築物の屋上に着脱可能に配在されてなる
【００１０】
【発明の実施の形態】
以下に、図示した実施の形態に基づいて、この発明を説明するが、この発明によるゴンドラ装置にあっても、図1に示すように、従来から提供されているこの種のゴンドラ装置と同様に、構築物Ａの外壁面に適宜の間隔を有して対向するゴンドラＧが構築物Ａの天端から垂下される吊りワイヤＷに吊持される一方で、吊りワイヤＷの上端が構築物Ａの天端に配在のレールＲに副って横方向に移動可能とされている。
【００１１】
そして、図1に示すところでは、この発明によるゴンドラＧが適宜の連結手段で横方向に複数台（図示するところでは、３台）が連結され、しかも、この連結された複数台のゴンドラＧの内部を作業者が自由に移動し得るとしていて、ゴンドラＧを移動させずして、作業者が横方向に広範囲にわたる作業範囲をカバーし得るとしている。
【００１２】
また、このゴンドラ装置にあっては、図1中に実線矢印で示すように、ゴンドラＧが複数台連結された状態のままで、構築物Ａの外壁面に沿って縦横に移動し得るように設定されていて、ゴンドラＧの移動回数を少なくし得るとしている。
【００１３】
ちなみに、図示するところでは、構築物Ａは、高層建築物たる高層住宅とされていて、後述するように、ゴンドラＧは、高層住宅の外壁面を形成するベランダＶ（図３参照）の手摺壁Ｖ１に適宜の間隔を有していわゆる仮止め状態に固定されるとしている。
【００１４】
一方、このゴンドラ装置にお構築物Ａの外壁面にけるゴンドラＧは、この発明にあって、図２および図３に示すように、前方柱体１と、後方柱体２と、足場板３とを有してなるとしている。
【００１５】
前方柱体１は、所定の機械的強度を有しながら必要以上の重量の増大化を回避し得るように、たとえば、アルミなどの金属製型材からなり、構築物Ａの外壁面に適宜の間隔を有して対向する複数本に設定されていて、ほぼ等間隔となる適宜の間隔で起立されてなるとしている。
【００１６】
このとき、この前方柱体１は、図示するところでは、直線状に設定されていながら複数本とされることでゴンドラＧのいわゆる前面を形成するとしており、相隣する前方柱体１間にラーメン構造に設定された手摺枠４を架設していて、この手摺枠４を作業者の墜落防止用の安全柵とする一方で、この前方柱体１群で形成されるゴンドラＧにおけるいわゆる前面の強度アップを図っている。
【００１７】
ちなみに、複数本の前方柱体１で形成されるゴンドラＧの前面にあっては、作業者が構築物Ａの外壁面に対する諸作業を滞りなく実行できるように、上記した手摺枠４以外のカーテンなどのいわゆる遮蔽物を有しないとしている。
【００１８】
また、この前方柱体１は、図示するところでは、構築物Ａの外壁面に対する固定手段、すなわち、固定ブラケット１１を有していて、この固定ブラケット１１におけるクランプ部１１ａが構築物Ａの外壁面を形成するベランダＶの手摺壁Ｖ１の上端を把持するとしている。
【００１９】
ちなみに、この固定手段は、図示するところでは、前方柱体１に連繋されてなるとして、その連繋位置を設定するにあって、上下方向に自由度を有し得るとしているが、これに代えて、図示しないが、前記した手摺枠４に連繋されるとして、連繋位置の設定に際して横方向に自由度を有し得るようにしても良い。
【００２０】
なお、この固定手段は、いわゆる仮止めである限りには、構築物Ａの外壁面の状態などによって、異なる構成のものが採用されることになるのはもちろんである。
【００２１】
上記した前方柱体１に対して、後方柱体２は、前方柱体１の後方にそれぞれ配在されて対をなす複数本に設定されていて、前方柱体１との間に作業者の臨在を許容する空間を形成するとしている。
【００２２】
このとき、この後方柱体２は、前方柱体１と同様に、所定の機械的強度を有しながら必要以上の重量の増大化を回避し得るように、たとえば、アルミなどの金属製型材からなり、図示するところでは、下端側が直線状に設定される一方で、上端側が前方柱体１側に折り曲げた状態に設定され、かつ、上端を前方柱体１の上端に連結してなるとしている。
【００２３】
また、このとき、相隣する後方柱体２の上端間には、頭継ぎ材２１が配在されると共に、相隣する後方柱体２の中間部間には、前記した手摺枠４が架設されてなるとして、前記した前方柱体１と同様に、複数本の後方柱体２で形成されるゴンドラＧにおけるいわゆる背面の強度アップを図っている。
【００２４】
そして、前方柱体１の下端および後方柱体２の下端には、それぞれ巾木１２，２２が連設されていて、前方柱体１および後方柱体２の各下端における脚固めを図る一方で、足場板３の上に置かれることがある工具やその他の物が外部に出ること、すなわち、落下することをあらかじめ阻止するように配慮している。
【００２５】
ところで、後方柱体２は、相隣する後方柱体２との間に、すなわち、図示するところでは、前記した手摺枠４をいわゆる外側から覆うように配在される防護シートＳ（図２参照）を着脱可能に保持してなるとしている。
【００２６】
ところで、後方柱体２に防護シートＳを着脱可能に保持させるについては、種々の構成を採用し得るが、図示するところでは、図4に示すように、まず、後方柱体２がいわゆる型材からなり、防護シートＳの両端、すなわち、左右方向の端部Ｓ１を嵌合させる溝２ａを有してなるとしている。
【００２７】
このとき、防護シートＳの端部Ｓ１は、その横断面の形状をほぼ円形としており、後方柱体２における溝２ａのいわゆる開口が狭められていて、溝２ａに嵌装された防護シートＳの端部Ｓ１が横方向に抜き出ないように配慮している。
【００２８】
それゆえ、防護シートＳの両端部Ｓ１を相隣する後方柱体２の溝２ａに嵌装するとき、この防護シートＳが相隣する後方柱体２間にいわゆる展張されてゴンドラＧの内部を外部から防護することになる。
【００２９】
なお、この防護シートＳを後方柱体２に保持させる方策については、任意の方策が採用されて良いが、図示するところでは、図３中に破線図で示すように、後方柱体２の縦方向の中間部に用意されたいわゆる入り口（附示せず）から上下端を挿し込むようにするとしている。
【００３０】
また、この防護シートＳは、いわゆる上下部分をシート状にして雨水の浸透などを阻止する一方で、いわゆる中間部分は、メッシュ状とされていて通風を許容し、ゴンドラＧ内における作業環境の改善を図るべく換気を可能にしている。
【００３１】
足場板３は、前方柱体１の下端部と後方柱体２の下端部との間に配在されて  作業者の立ち入りを許容するように構成されてなるもので、多くの場合に、軽量にして所定の機械的強度を有すべくアルミなどの金属製型材からなるとしている。
【００３２】
ところで、このゴンドラＧにあっては、前記した前方柱体１と後方柱体２は、前記した巾木１２，２２を介して足場板３の下方に配在される枠体５に連設されてなるとしている。
【００３３】
すなわち、足場板３は、図示するところでは、枠体５の上に配在されるとしているもので、このとき、足場板３は、図示するところでは、たとえば、溶接で枠体５に一体的に連結されるとしているが、後述するワイヤ巻取り機構６などのメンテナンスのことを考慮すれば、分離可能に連結されるとしても良い。
【００３４】
ところで、この枠体５に保持されるワイヤ巻取り機構６は、吊りワイヤＷの巻取りのためにこれを引っ張り、あるいは、吊りワイヤＷの解き出しのためにこれを繰り出す駆動源たるワインダ６１と、このワインダ６１で引っ張られた吊りワイヤＷを巻装させるリール６２とを有してなる。
【００３５】
このように、ワイヤ巻取り機構６を足場板３の下方となる枠体５に保持させるとすることで、これを足場板３の上に配在させたりする場合に比較して、作業者の居場所を広くする上で有利になる。
【００３６】
のみならず、この発明では、ゴンドラＧが複数台連結される場合があることを前提にしているから、このことからしても、ワイヤ巻取り機構６がゴンドラＧのいわゆる側面部に配在されていない方が良いことになる。
【００３７】
一方、ゴンドラＧを吊持する吊りワイヤＷは、図示するところでは、いわゆる左右となる一対とされていて、吊持の際にゴンドラＧが安定するように配慮している。
【００３８】
そして、この一対となる吊りワイヤＷは、図示するところでは、ゴンドラＧの上方外部からゴンドラＧの内部に案内されると共に、後方柱体２の上端部に配在のワイヤそらし機構７を介することで後方柱体２に副って垂下され、かつ、下端側を上記したワイヤ巻取り機構６を構成するリール６２に巻装させてなるとしている。
【００３９】
このように設定することで、ゴンドラＧの内部に案内された吊りワイヤＷが作業者に占有されるべき空間を、すなわち、前方柱体1と後方柱体２との間に形成されて作業者を臨在させる空間を吊りワイヤＷが通過しなくなる。
【００４０】
このとき、このワイヤそらし機構７は、ゴンドラＧの外部のいわゆる中央上方から案内される吊りワイヤＷを後方柱体２に向けてターンさせる一つ目のシーブ７１と、このターンした吊りワイヤＷを後方柱体２に副って垂下させる二つ目のシーブ７２とを有してなるとしている。
【００４１】
それゆえ、このワイヤそらし機構７による場合には、二つのシーブ７1，７２があれば足りるから、構成を簡単にして効果的な吊りワイヤＷのそらしを実現できることになる利点がある。
【００４２】
ちなみに、吊りワイヤＷがゴンドラＧ内部における作業者用の空間を通過しないようにするために、吊りワイヤＷをゴンドラＧの背面外部に臨在させることを検討し得るが、この場合には、吊りワイヤＷが後方柱体２あるいは防護シートＳを貫通することになる不利があり、好ましくないと言い得る。
【００４３】
以上のようの構成されたこの発明によるゴンドラＧにあっては、以下のような配慮もしている。
【００４４】
すなわち、まず、このゴンドラＧの側面部には、相隣するゴンドラＧ同志の連結を可能にする適宜の連結手段を有してなるとしているが、この連結手段を構成するブラケット２３が、図示するところでは、枠体５に連設されていて、このブラケット２３に分離可能に連繋されるリンク部材２４を介して相隣するゴンドラＧ同志が連結されるとしている。
【００４５】
それゆえ、この連結手段による場合には、相隣するゴンドラＧ同志の連結を実現して、横方向に複数台連結されたゴンドラＧの内部を作業者が自由に移動し得るとするのはもちろんのこと、相隣するゴンドラＧが昇降するときに、相隣するゴンドラＧ間における競り合いが未然に阻止されて、それぞれのゴンドラＧの円滑な昇降が実現されることになる。
【００４６】
つぎに、枠体５の下端には、車輪５１を有していて、このゴンドラＧが地上などに置かれるときに、人手によって押すなどしてこれを搬送し得るようにすると共に、枠体５の図３中で右端となる前方端には、落下防止板５２が枢支されていて、この落下防止板５２の揺動可能とされる先端に吊り材１３の下端が連結され、この吊り材１３の上端が前方柱体１に連結されてなるとしている。
【００４７】
この落下防止板５２の配在で、たとえば、作業者が作業中に工具を落とすなどしても、これを下方に落下させないようにすることが可能になる。
【００４８】
つぎに、以上のように形成されたゴンドラＧを吊持する吊りワイヤＷの上端が構築物Ａの天端に配在のレールＲに副って横方向に移動可能とされてなることについて少し説明する。
【００４９】
このとき、この発明にあっては、吊りワイヤＷの上端を連繋させるレールＲが構築物Ａの屋上部分に配在の適宜の保持機構８に分離可能に保持されてなると共に、保持機構８が構築物Ａの屋上に着脱可能に配在されてなるとしている。
【００５０】
その理由としては、ゴンドラＧをレールＲに副って移動し得るとすることで、ゴンドラＧを横方向に移動するについていわゆる盛り替えをしなくて済み、レールＲが保持機構８に保持されることで、吊持されるゴンドラＧが構築物Ａの外壁面との間に適宜の間隔を保持できることが挙げられる。
【００５１】
以下に、まず、この保持機構８について説明すると、この保持機構８は、支持金具８１と、アーム８２とを有してなり、このアーム８２にレールＲを保持させる、すなわち、スライド構造下に保持させるとしている。
【００５２】
このとき、支持金具８１は、いわゆるクランプ構造に形成されていて、下方部で構築物Ａにおける天端、すなわち、屋上を構成するパラペットを把持する一方で、上方部でアーム８２を、図５に示す実施の形態では、固定状態に保持するとしている。
【００５３】
そして、アーム８２は、図６に示すように、上端に軸線方向に沿うガイド溝８２ａを有していて、このガイド溝８２ａにレールＲの端部の下端に配設されたガイド輪ｒを係合させるとしている。
【００５４】
それゆえ、この図５に示す実施の形態の場合には、アーム８２上でレールＲを構築物Ａの屋上側に引き寄せた状態にして、このレールＲに吊りワイヤＷの上端を連繋し得ることになり、連繋後は、レールＲをアーム８２上でスライドさせていわゆる先方に送り出すようにして、吊りワイヤＷの上端を押し出し得ることになる。
【００５５】
その結果、この保持機構８による場合には、吊りワイヤＷの上端をレールＲに連繋したり、この連繋を解除したりする作業の際に、たとえば、作業者が構築物Ａの屋上に居るままで諸作業を実行でき、したがって、外壁面から離れた位置にある保持機構８の先端にレールＲを連繋したり、保持機構８の先端からレールＲを撤去したりする作業をしなくて済むことになる。
【００５６】
上記の保持機構８において、アーム８２は、支持金具８１に固定状態に保持されてなるとしているが、これに代えて、図7に示すように、支持金具８１の上端に設けられているブラケット８１ａに摺動可能に介装されて前後方向に移動可能なように連結されてなるとしても良い。
【００５７】
そして、この実施の形態による場合には、アーム８２を摺動させることで、上記したようにレールＲを直接移動させることなく、結果的にレールＲを移動させ得ることになる。
【００５８】
また、図８に示す実施の形態の場合には、支持金具８１において、いわゆる折り曲げ可能に設定されていて、この支持金具８１を折り曲げることで、アーム８２を揺動し得ることになり、その結果、上記した図７に示す実施の形態の場合と同様に、レールＲを直接移動させることなく、結果的にレールＲを移動させ得ることになる。
【００５９】
ところで、以上のように構成されたレールＲには、吊りワイヤＷの上端が走行可能な状態にして連繋してなるとするもので、以下には、その連繋構造について少し説明する。
【００６０】
すなわち、まず、この連繋構造は、図９および図１０に示すように、図示するところでは、駆動部９１と従動部９２とを有してなり、この駆動部９１と従動部９２がその間に配在の連結棒９３にピン９３ａ（図１０参照）を利用してヒンジ結合されてなるとしている。
【００６１】
このように、駆動部９１と従動部９２が連結棒９３を介してヒンジ結合されることで、たとえば、レールＲが水平方向に湾曲する場合にも、駆動部９１および従動部９２のレールＲからのいわゆる脱輪を危惧しなくても済むことになる。
【００６２】
つぎに、上記した駆動部９１および従動部９２の構成について説明すると、この両部９１，９２は、基本的には、同一の構造に形成されてなるとし、ただ、駆動部９１にあって、駆動源９１ａ（図９参照）を有することで差異がある。
【００６３】
それ以外では、両部９１，９２は、レールＲ上でそれそれでいわゆる前後となって転動する一対の車輪９４，９５を有し、この一対の車輪９４，９５をそれぞれ枢支するブラケット９４ａ，９５ａが吊りワイヤＷの上端をその下端に結束させるフック９４ｂ，９５ｂを連設させてなるとしている。
【００６４】
ちなみに、駆動部９１における車輪９４が駆動源９１ａに連繋されてなるとしており、したがって、駆動源９１ａの駆動で車輪９４が回転し、駆動部９１がレールＲ上を移動することになる。
【００６５】
そして、このときに、従動部９２も連結棒９３の介在がゆえに駆動部９１に同期してレールＲ上を移動することになる。
【００６６】
一方、レールＲは、図１１および図１２に示すように、図示するところでは、縦断面を角Ｃ型にするいわゆるチャンネル材を背中合せにした構造に形成されていて、両側面に横方向に延びるガイド溝たる開口Ｒ１を有している。
【００６７】
そして、上記した両部９１，９２を形成するブラケット９４ａ，９５ａにいわゆる対となる状態に保持されたガイド輪９６，９７が上記の両方の開口Ｒ１にそれぞれ臨在される状態にして、レールＲ上を走行する車輪９４，９５の脱輪を阻止するとしている。
【００６８】
ところで、上記したレールＲに形成された開口Ｒ１には、図１３および図１４に示すように、ケーブルホルダー１０が繋合されるとしており、このケーブルホルダー１０は、前記した駆動部９１における駆動源９１ａに接続されるいわゆる通電用のケーブル（図示せず）を吊持する。
【００６９】
ちなみに、上記のケーブルの総長は、上記した連繋構造がレールＲを移動するのを妨げない長さに設定されるから、いわゆる長くなり、したがって、ケーブルホルダー１０は、複数とされて上記した開口Ｒ１に繋合される。
【００７０】
また、このケーブルホルダー１０をレールＲの開口Ｒ１に繋合する方策としては、任意の方策を選択し得るが、この実施の形態では、図１５に示すように、既設のレールＲに先端が接続される補助レール１０１を利用して繋合されるとしている。
【００７１】
すなわち、この補助レール１０１は、その断面形状をレールＲに類似させる、すなわち、レールＲにおける開口Ｒ１と同様に設定された開口（図示せず）を有していて、必要な個数のケーブルホルダー１０を繋合させ得るように構成されている。
【００７２】
そして、この補助レール１０１は、基端が構築物Ａの屋上側に位置決められながらいわゆる自由端とされていて、この基端側に繋合される必要な個数のケーブルホルダー１０を順次にいわゆる押しやるようにしてレールＲの開口Ｒ１に繋合させるように構成されている。
【００７３】
そしてまた、この補助レール１０１は、必要な個数のケーブルホルダー１０をレールＲの開口Ｒ１に繋合させた後に撤去される、すなわち、図示するところでは、前記した保持機構８におけるアーム８２に沿ってスライド移動されて構築物Ａの屋上側に後退されるとしている。
【００７４】
以上からすれば、この補助レール１０１は、その縦断面形状がレールＲの縦断面形状と同一もしくはほぼ同一になるように設定される場合には、前記した連繋構造を構成する駆動部９１および従動部９２を連結棒９３で連結した状態のままでレールＲに連繋させることをも可能にすることになり、両部９１，９２を連繋したレールＲをアーム８２に沿ってスライド移動させることに比較すれば、連繋構造をレールＲに連繋させる作業が一層簡単になる点で有利となる。
【００７５】
【発明の効果】
以上のように、この発明にあっては、ゴンドラを吊持する吊りワイヤがゴンドラの上方外部からゴンドラの内部に案内されると共に、後方柱体の上端部に配在のワイヤそらし機構を介することで後方柱体に副って垂下されてなるから、吊りワイヤがゴンドラの重心に重なる軸心線に沿ってこのゴンドラを吊持することが可能になり、吊りワイヤで吊持したためにゴンドラが前傾したり後傾したりしなくなる。
【００７６】
このとき、ゴンドラの内部に案内された吊りワイヤがワイヤそらし機構を介することで後方柱体に副って垂下され、したがって、ゴンドラの内部に案内された吊りワイヤが作業者に占有されるべき空間、すなわち、前方柱体と後方柱体との間に形成されて作業者を臨在させる空間を吊りワイヤが通過しなくなる。
【００７７】
そして、この発明にあっては、吊りワイヤの下端側を巻装させて吊りワイヤの巻き取りあるいは解き出しでゴンドラを昇降させるワイヤ巻取り機構が足場板の下方に配在されてなるから、ワイヤ巻取り機構を足場板の下方となる枠体に保持させるとすることで、これを足場板の上に配在させたりする場合に比較して、作業者の居場所を広くすることになる。
【００７８】
のみならず、この発明にあっては、ゴンドラの側面部が相隣するゴンドラとの連結部とされると共に、相隣するゴンドラへの作業者の移動を許容する開口部とされることで、ゴンドラを複数台連結すると共に、この複数台連結されたゴンドラの内部を作業者が自由に移動し得ることになり、ゴンドラを移動させずして、作業者が横方向に広範囲にわたる作業範囲をカバーし得ることになる。
【００７９】
また、この発明にあっては、前方柱体が直線状に設定される一方で、後方柱体が下端側を直線状に設定すると共に上端側を前方柱体側に折り曲げて上端を前方柱体の上端に連結してなるから、前方柱体の上端と後方柱体の上端との間に梁材などを配在しなくて済み、部材点数を削減できる点で有利となる
そして、このとき、上記の後方柱体、すなわち、相隣する後方柱体との間で防護シートを分離可能に保持してなるから、この防護シートでゴンドラの内部を外部から防護し得ることになる。
【００８０】
さらに、この発明にあっては、吊りワイヤの上端を連繋させるレールが構築物の屋上部分に配在の適宜の保持機構に分離可能に保持されてなると共に、保持機構が構築物の屋上に着脱可能に配在されてなるから、吊りワイヤの上端をレールに連繋したり、この連繋を解除したりする作業を安全にして容易に実行し得ることになる。
【００８１】
その結果、この発明によれば、構築物の外壁面に副って縦横に移動し得るのはもちろんのこと、停止状態で横方向に広範囲にわたる作業範囲をカバーし得ることになり、その汎用性の向上を期待するのに最適となる利点がある。
【図面の簡単な説明】
【図１】この発明の一実施の形態によるゴンドラ装置の利用状態を示す概略図である。
【図２】図1のゴンドラを示す背面図である。
【図３】図1のゴンドラを構築物の外壁面に連結させた状態を拡大して示す側面図である。
【図４】防護シートが後方柱体に保持されている状態を示す部分斜視図である。
【図５】レールが保持機構によって構築物の天端に配在されている状態を示す部分斜視図である。
【図６】レールが保持機構を構成するアームに連繋している状態を示す部分断面図である。
【図７】他の実施の形態による保持機構を示す側面図である。
【図８】同じく他の実施の形態による保持機構を示す側面図である。
【図９】吊りワイヤの上端をレールに連繋させる連繋構造を一部破段して示す平面図である。
【図１０】図９の連繋構造を構築物の外部側から見た立面図である。
【図１１】連繋構造を構成する駆動部を示す側面図である。
【図１２】連繋構造を構成する従動部を図１２と同様に示す図である。
【図１３】ケーブルホルダーがレールに繋合されている状態を示す立面図である。
【図１４】図１３のケーブルホルダーを示す側面図である。
【図１５】ケーブルホルダーをレールに繋合させるための補助レールの配設状態を示す概略平面図である。
【符号の説明】
１  前方柱体
２  後方柱体
２ａ  溝
３  足場板
４  手摺枠
５  枠体
６  ワイヤ巻取り機構
７  ワイヤそらし機構
８  保持機構
１０  ケーブルホルダー
１１  固定ブラケット
１１ａ  クランプ部
１２，２２  巾木
１３  吊り材
２１  頭継ぎ材
２３，９４ａ，９５ａ  ブラケット
２４  リンク部材
５１，９４，９５  車輪
５２  落下防止板
６１  ワインダ
６２  リール
７１，７２  シーブ
８１  支持金具
８２，８３，８４  アーム
８２ａ  ガイド溝
９１  駆動部
９１ａ  駆動源
９２  従動部
９３  連結棒
９３ａ  ピン
９４ｂ，９５ｂ  フック
９６，９７  ガイド輪
１０１  補助レール
Ａ  構築物
Ｇ  ゴンドラ
Ｒ  レール
Ｒ１  開口
ｒ  ガイド輪
Ｓ  防護シート
Ｓ１  端部
Ｖ  ベランダ
Ｖ１  手摺壁
Ｗ  吊りワイヤ
【図１】
0004132532.tif 000002
【図２】
0004132532.tif 000003
【図３】
0004132532.tif 000004
【図４】
0004132532.tif 000005
【図５】
0004132532.tif 000006
【図６】
0004132532.tif 000007
【図７】
0004132532.tif 000008
【図８】
0004132532.tif 000009
【図９】
0004132532.tif 000010
【図１０】
0004132532.tif 000011
【図１１】
0004132532.tif 000012
【図１２】
0004132532.tif 000013
【図１３】
0004132532.tif 000014
【図１４】
0004132532.tif 000015
【図１５】
0004132532.tif 000016